(57)【要約】【課題】建築物外壁の外面とこれに取り付けられる付帯設備との間の防水を簡易に行うことができると共に、信頼性の高い防水を行うことができる建築物防水方法及びその構造を提供すること。【解決手段】建築物外壁（外壁２ａ）の外面とこれに取り付けられるボウウインドウ５との間を防水する方法及びその構造であって、ボウウインドウ５と前記外面とに跨ってボウウインドウ５と前記外面に沿う形状に形成された防水シート２３及び前記防水シート２３に設けられた粘着層（２４，２５）を有するシート状防水役物２２を用意して、ボウウインドウ５を前記外面に取り付ける際に、防水シート２３を粘着層（２４，２５）で前記外面及びボウウインドウ５に粘着固定することにより、前記建築物外壁（外壁２ａ）の外面とこれに取り付けられるボウウインドウ５との間を防水した後、シート状防水役物２２をカバー（笠木板金３２）で覆う方法としている。【選択図】図２
2007308983.tif 000002
【特許請求の範囲】
【請求項１】
建築物外壁の外面とこれに取り付けられる付帯設備との間を防水する建築物防水方法であって、
前記付帯設備と前記外面とに跨って前記付帯設備と前記外面に沿う形状に形成された防水シート及び前記防水シートに設けられた粘着層を有する防水役物を用意して、前記付帯設備を前記外面に取り付ける際に、前記防水シートを前記粘着層で前記外面及び前記付帯設備に粘着固定することにより、前記建築物外壁の外面とこれに取り付けられる付帯設備との間を防水した後、前記防水役物をカバーで覆うことを特徴とする建築物防水方法。
【請求項２】
建築物外壁の外面とこれに取り付けられる付帯設備との間を防水役物で防水する建築物防水構造であって、
前記防水役物は、前記付帯設備と前記外面とに跨る形状に形成された防水シートと、前記防水シートに設けられ且つ前記防水シートを前記外面に粘着固定している粘着層を有すると共に、カバーで覆われていることを特徴とする建築物防水構造。
【発明の詳細な説明】
【技術分野】
【０００１】
本発明は、建築物外壁の外面とこれに取り付けられる付帯設備との間を防水する建築物防水方法及び建築物防水構造に関するものである。
【背景技術】
【０００２】
従来からユニット建物には、建築物外壁の外面に出窓やバルコニー等その他の付帯設備を設けることが行われている（例えば、特許文献１〜４参照）。
【０００３】
この様な建築物外壁の外面と付帯設備との間の防水方法として、ユニット工法のような事前に防水がされている外壁面に対し、現地で出窓を取り付ける場合はシートを外壁側から出してきて出窓側に貼り付ける、またはコーキングにて現地防水をするのが一般的である。
【特許文献１】実公平７−２１８１１号公報
【特許文献１】実開平５−４２５７５号公報
【特許文献１】特開２００４−８４３５４号公報
【特許文献１】特開２００４−１１６１６０号公報
【発明の開示】
【発明が解決しようとする課題】
【０００４】
ところで、長期における信頼性の高い防水を行うためにはシート類の防水が望ましい。しかし、複雑な屋根形状と外壁部の防水になると、シートでは部品公差・施工誤差を考えると、信頼性の高い防水を行うことが難しい。また、外壁面材を貼ってある状態で、複雑な形状の防水ラインを形成したい場合に、信頼性の高いシートでの防水は難しい。複雑な形状の防水ラインに対応できるコーキング防水では長期の信頼性に不安が残る。
【０００５】
更に、テープで貼り付ける方法をとると、外壁仕上に更にカバーをかけないとテープの防水性を保持できないし、下地状況によりテープの種類がかなり制限される。
【０００６】
そこで、本発明は、建築物外壁の外面とこれに取り付けられる付帯設備との間の防水を簡易に行うことができると共に、信頼性の高い防水を行うことができる建築物防水方法及び建築物防水構造を提供することを目的とするものである。
【課題を解決するための手段】
【０００７】
この目的を達成するため、請求項１の発明は、建築物外壁の外面とこれに取り付けられる付帯設備との間を防水する建築物防水方法であって、前記付帯設備と前記外面とに跨って前記付帯設備と前記外面に沿う形状に形成された防水シート及び前記防水シートに設けられた粘着層を有する防水役物を用意して、前記付帯設備を前記外面に取り付ける際に、前記防水シートを前記粘着層で前記外面及び前記付帯設備に粘着固定することにより、前記建築物外壁の外面とこれに取り付けられる付帯設備との間を防水した後、前記防水役物をカバーで覆う建築物防水方法としたことを特徴とする。
【０００８】
また、上述した目的を達成するため、請求項２の発明は、建築物外壁の外面とこれに取り付けられる付帯設備との間を防水役物で防水する建築物防水構造であって、前記防水役物は、前記付帯設備と前記外面とに跨る形状に形成された防水シートと、前記防水シートに設けられ且つ前記防水シートを前記外面に粘着固定している粘着層を有すると共に、カバーで覆われている建築物防水構造としたことを特徴とする。
【発明の効果】
【０００９】
この建築物防水方法及びその構造によれば、建築物外壁の外面とこれに取り付けられる付帯設備との間の防水を簡易に行うことができると共に、信頼性の高い防水を行うことができる。しかも、複雑な形状の防水ラインに対し、長期の信頼性の高い防水が可能になる。
【発明を実施するための最良の形態】
【００１０】
以下、この発明の実施の形態を図面に基づいて説明する。
[構成]
図１において、ユニット建物（建築物）１は、１階の建物ユニット２と、１階の建物ユニット２の上に組み付けられた建物ユニット３と、建物ユニット３上に組み付けられた屋根ユニット４を有する。この建物ユニット２，３の外壁２ａ，３ａの外面及び屋根ユニット４の外壁４ａの外面は、工場で組み立てる際に防水処理が施されている。
【００１１】
また、図１，図２においてユニット建物１は、一階の建物ユニット２の外壁２ａの外面（外壁面）に取り付けられた出窓であるボウウインドウ（付帯設備）５を有する。
【００１２】
このボウウインドウ５は、図１に示した外面形状が多角形状で且つ円弧状の床パネル６と、床パネル６の縁部に沿って多角形状且つ円弧状に配設された多数（複数）の主枠７を有する。また、ボウウインドウ５は、図１，図２に示したように、主枠７内に設けられた建具７ａと、主枠７，７間に配設された方立８と、主枠７と外壁２ａとの間に設けられた袖壁９と、主枠７及び袖壁９に縁部が支持された屋根パネル１０を有する。尚、屋根パネル１０は図７〜図１１に示したような笠木１０ａを有し、この笠木１０ａ（図１，図２では図示略）は図１，図２の各主枠７の上に配設される。そして、この各笠木（図１では図示せず）が笠木板金１０ｂでカバーされている。
【００１３】
この屋根パネル１０は、図３に示したように、側部が袖壁９の下袖壁部９ａの上端に天井フレーム１１及び支持フレーム１２を介して取り付けられている。また、この屋根パネル１０は、周縁が主枠７の配列形状と同様に多角形状に形成された下支持パネル１３と、下支持パネル１３上に設けられた屋根フレーム１４を有する。
【００１４】
この屋根フレーム１４は、図３，図４に示したように支持パネル１３の縁部に沿って配設された縁フレーム１４ａと、縁フレーム１４ａに間隔をおいて取り付けられた多数の支持部材１４ｂを有する。この支持部材１４ｂは、高さが縁フレーム１４ａよりも低く形成されている。
【００１５】
更に、屋根パネル１０は、屋根フレーム１４の多数の支持部材１４ｂ上に取り付けられた上支持パネル１５と、縁フレーム１４ａ上に取り付けられた仕上材１６と、上支持パネル１５上に配設された防水紙１７と、防水紙１７上に配設された塩ビ鋼板製の屋根床板１８を有する。
【００１６】
この防水紙１７は、周縁から上方に延びて縁フレーム１４ａ及び仕上材１６の側面に密接（当接）する起立部１７ａと、仕上材１６の上面に密接（当接）する水平部１７ｂを有する。また、屋根床板１８は、鋼板の両面（上下面）を塩化ビニール樹脂層で被覆したもので、図３，図４に示したように周縁から上方に仕上材１６の上端部近傍まで延びるフランジ（起立部）１８ａを有する。
【００１７】
また、屋根床板１８の建物ユニット２側の縁部には、図１，図２に示したように縁部に沿って左右両端まで延びる集水溝１８ｂが形成されている。しかも、屋根床板１８は集水溝１８ｂ側に傾斜させられていて、屋根床板１８上に降った雨等は矢印Ｂで示すように集水溝１８ｂに向けて流れるようになっている。
【００１８】
また、上述した縁フレーム１４ａ，仕上材１６は袖壁本体Ｗの一部として設けられている。即ち、図７〜図１０に示したように、縁フレーム１４ａ，仕上材１６は、下袖壁部９ａ，支持フレーム１２，下支持パネル１３等と共に袖壁本体Ｗを構成している。更に、外壁２ａには、袖壁本体Ｗの端面に対向して入隅水切りシート１９が接着又は粘着固定されている。この入隅水切りシート１９は、建物ユニット２の上端まで延設されている。また、図７〜図１０に示したように、縁フレーム１４ａの上端部には、上端及び外面に開口する切欠１４ｃが形成されている（図３参照）。
【００１９】
また、袖壁本体Ｗの断面Ｗａと水切りシート１９との間には、図５，図７〜図９に示したように袖壁本体Ｗの外面（屋根床板１８とは反対側の面）に開放する縦溝２０が形成されている。この縦溝２０内には、図５，図８のように上下に延びるスポンジチューブがシール材２１として挿入されている。このシール材２１は、断面Ｗａと外壁２ａに弾接して、袖壁本体Ｗの段面Ｗａと外壁２ａとの間をシールしている。しかも、シール材２１の上端は仕上材１６の上端と一致させられている。このシール材２１の周囲に変成シリコン材等のコーキング材（図示せず）を充填する。
【００２０】
更に、袖壁本体Ｗの外面には、図９のようにシート状防水役物（入隅シート役物）２２が配設されている。このシート状防水役物２２は、図１２に示したように、樹脂製で帯状の防水シート２３を有する。
【００２１】
この防水シート２３は、袖壁本体Ｗの外面（屋根床板１８とは反対側の面）に設けられた外面側縦シート部２３ａと、外面側縦シート部２３ａの上端に連設され且つ仕上材１６の上面及び防水紙１７の水平部１７ｂに沿う横シート部（上シート部）２３ｂと、横シート部２３ｂに連設され且つ防水紙１７の起立部１７ａの外面に沿う床板側縦シート部２３ｃを有する。しかも、防水シート２３は、外面側縦シート部２３ａ，横シート部２３ｂ，床面側縦シート部２３ｃから略逆Ｌ字状に形成されている。
【００２２】
また、防水シート２３は、横シート部２３ｂ及び床板側縦シート部２３ｃに垂直に連設された壁取付シート部２３ｄを有する。尚、外面側縦シート部２３ａは、壁取付シート部２３ｄ側に位置し折り曲げ線Ｌに沿って折り曲げ可能な折代部２３ａ１を有する。
【００２３】
更に、シート状防水役物２２は、外面側縦シート部２３ａ，横シート部２３ｂ，床板側縦シート部２３ｃの一側部に跨って袖壁本体Ｗ側に設けられた粘着層２４と、壁取付シート部２３ｄの外壁２ａ側の面に設けられた粘着層２５を有する。
【００２４】
尚、図１２に示したように、粘着層２４，２５の外面には、搬送等の取扱のために剥離シート２４ａ，２５ａが貼り付けられている。
【００２５】
この剥離シート２４ａ，２５ａは、ユニット建物１の組立現場で防水シート２３を袖壁本体Ｗと建物ユニット２との入隅部の防水に用いる際、防水シート２３の粘着層２４，２５から剥離される。
【００２６】
そして、防水シート２３の外面側縦シート部２３ａ，横シート部２３ｂ，床板側縦シート部２３ｃは、粘着層２４を介して袖壁本体Ｗの外面，仕上材１６の上面及び防水紙１７の水平部１７ｂ，防水紙１７の起立部１７ａにそれぞれ粘着固定されている。また、防水シート２３の壁取付シート部２３ｄは、図５，図６に示したように粘着層２５を介して入隅水切りシート１９に粘着固定されている（図９参照）。
【００２７】
さらに、袖壁本体Ｗの外面側には、図３に示したような外装仕上パネル（化粧板）２６が袖壁９の一部として取り付けられている。この外装仕上パネル２６は、パネル本体２７の外面に多数のタイル２７ａを上端部近傍の部分まで貼り付けた構成を有している。このパネル本体２７の上端部には、図１０に示したように切欠１４ｃに対応させる切欠２７ａが形成されている。
【００２８】
また、この外装仕上パネル２６の上端部外面には付庇２８が図示しない皿木ビス等で固定されている。この付庇２８は、縦板部２８ａと、縦板部２８ａの上端部に一体に固定された庇部２８ｂを有する。尚、付庇２８は、建設現場で外装仕上パネル２６に取り付けられる。
【００２９】
しかも、付庇２８の両側面とこれに対向する部分との間には変成シリコン材（図示せず）が防水のために充填され、付庇２８を縦板部２８ａの上端部に固定している皿木ビスの頭部も変成シリコン材で防水されている。更に、付庇２８の縦板部２８ａの外面には断面Ｌ字状のタイル２９が貼り付けられている。
【００３０】
更に、庇部２８ｂの上面と仕上材１６の上面は略同じ高さに設けられている。そして、図３に示したように付庇２８の上面と袖壁本体Ｗの上面は、両端部３０ａ，３０ｂが庇部２８ｂの先端面と屋根床板１８のフランジ１８ａの外面とに粘着固定された防水テープ３０で覆われている。
【００３１】
また、この防水テープ３０上には断面Ｌ字状の壁当たり板金３１が載置され、防水テープ３０のフランジ１８ａ側の端部外面には壁当たり板金３１の一端に設けた縦板部３１ａが当接している。この壁当たり板金３１は、鋼板を塩化ビニールで被覆したものである。
【００３２】
そして、壁当たり板金３１の上面は、鋼板を塩化ビニールで被覆した笠木板金３２によりカバーされている。この笠木板金３２には、図３に示したように、付庇２８の外面側に位置する縦水切り板部３２ａと、屋根床板１８側に位置する縦水切り板部３２ｂを有する。この縦水切り板部３２ａは、庇部２８ｂの先端面より下方まで延設されて、下端部がタイル２９の上端部外面に臨ませられている。
【００３３】
また、付庇２８には防水シート２３を避けた位置に図１０，図１１の挿通孔３３が形成されている。この挿通孔３３は、図３のようにパネル本体２７の上端部に設けた切欠１４ｃに切欠２７ａを介して連設されている。
【００３４】
この挿通孔３３には上述した排水溝１８ｂに水密に接続された箱樋３４が図３の如く取り付けられている。そして、この箱樋３４には、図示しない位置で集水用の角マス３５が図１，図２のように接続され、この角マス３５には縦樋３６が取り付けられている。
【００３５】
この様な入隅防水構造は、ボウウインドウ５の両端の入隅部（袖壁を設けた部分）に設けられる。この際、角マス３５や縦樋３６は図１，図２に示したように一方（右側）の付庇２８に設ければよい。従って、図１，図２のボウウインドウ５の矢印Ｃ１で示した左側の図示しない袖壁には角マス３５や縦樋３６を設けないので、この部分に取り付けられる縁フレーム（図示せず）や外装パネル（図示せず）には上述した切欠１４ｃ，２７ａを設ける必要はなく、付庇（図示せず）にも上述した切欠１４ｃ，挿通孔３３は設ける必要はない。
[作用]
次に、このような構成のボウウインドウ５と建物ユニット２との入隅防水構造の構築方法及びその作用を説明する。
（１）入隅防水構造の構築方法
袖壁本体Ｗを取り付ける前に、建物ユニット２の外壁２ａの袖壁本体Ｗに対向させる外面に入隅水切りシート１９を上下に向けて貼り付ける。この入隅水切りシート１９の上下端は、外壁２ａの上下端まで延設する。そして、ボウウインドウ５を組立ながら、袖壁本体Ｗの端面が外壁２ａに当接するように、袖壁本体Ｗをボウウインドウ５の端に組み付ける。
【００３６】
次に、上支持パネル１５上に防水紙１７を配設し、この防水紙１７の周縁から上方に起立させた起立部１７ａを縁フレーム１４ａ及び仕上材１６の側面に密接（当接）させた後、水平部１７ｂを仕上材１６の上面に密接（当接）させ、屋根床板１８のフランジ１８ａを防水紙１７の起立部１７ａに当接させる。この状態では、袖壁本体Ｗと水切りシート１９との間には、図５〜図８に示したように袖壁本体Ｗの外面（屋根床板１８とは反対側の面）に開放する縦溝２０が形成される。
【００３７】
この縦溝２０内に上下に延びるスポンジチューブをシール材２１として挿入して、このシール材２１を断面Ｗａと外壁２ａに弾接させ、袖壁本体Ｗの段面Ｗａと外壁２ａとの間をシールさせると共に、シール材２１の上端を仕上材１６の上端と一致させる。このシール材２１の周囲に変成シリコン材等を図１１のチューブＣｈから押し出してを充填すると共に、袖壁本体Ｗの外壁２ａへの当接部に変成シリコン材等を塗布して防水する。
【００３８】
この後、シート状防水役物２２の防水シート２３を袖壁本体Ｗに貼り付ける。即ち、シート状防水役物２２の剥離シート２４ａ，２５ａを防水シート２３の粘着層２４，２５から剥離する。そして、剥離シート２４ａ，２５ａが剥離された防水シート２３を、外面側縦シート部２３ａ，横シート部２３ｂ，床板側縦シート部２３ｃが粘着層２４を介して袖壁本体Ｗの外面，仕上材１６の上面及び防水紙１７の水平部１７ｂ，防水紙１７の起立部１７ａにそれぞれ粘着固定する。一方、防水シート２３を、壁取付シート部２３ｄが粘着層２５を介して入隅水切りシート１９に粘着固定する。
【００３９】
次に、袖壁本体Ｗの外面側に図３に示したような外装仕上パネル（化粧板）２６を取り付ける。この外装仕上パネル２６の上端部外面に付庇２８を図示しない皿木ビス等で固定する。そして、付庇２８の両側面とこれに対向する部分との間には変成シリコン材（図示せず）を防水のために充填し、付庇２８を縦板部２８ａの上端部に固定している皿木ビスの頭部にも変成シリコン材を塗布して防水する。更に、防水テープ３０の両端部を庇部２８ｂの先端面と屋根床板１８のフランジ１８ａの外面とに粘着固定して、付庇２８の上面と袖壁本体Ｗの上面を防水テープ３０で覆う。
【００４０】
そして、防水テープ３０上には断面Ｌ字状の壁当たり板金３１を載置し、防水テープ３０のフランジ１８ａ側の端部外面に壁当たり板金３１の一端に設けた縦板部３１ａを当接させる。次に、この壁当たり板金３１の上面は、鋼板を塩化ビニールで被覆した笠木板金３２によりカバーする。この後、付庇２８の挿通孔３３に箱樋３４を取り付けて、この箱樋３４を排水溝１８ｂに接続し、この箱樋３４に集水用の角マス３５を接続し、この角マス３５に縦樋３６を取り付ける。
（２）入隅防水構造の作用
上述した入隅防水構造において屋根床板１８上に降った雨水は、屋根床板１８の傾斜に沿って矢印Ｂ方向に流れ、屋根床板１８の外壁２ａ側の排水溝１８ｂに捕集された後、箱樋３４，角マス３５及び縦樋３６を介して排水される。
【００４１】
一方、外壁２ａに貼り付けた入隅水切りシート１９と笠木板金３２との間に浸入する雨水の一部は、シート状防水役物２２の壁取付シート部２３ｄに沿って屋根床板１８側に流れた後、排水溝１８ｂに捕集されて、箱樋３４，角マス３５及び縦樋３６を介して排水される。また、入隅水切りシート１９と笠木板金３２との間に浸入する雨水の残りは袖壁本体Ｗの外面に沿って流下する。
【００４２】
このように建物側外壁面材下から防水シート（入隅水切りシート１９）を出してきて、出窓（ボウウインドウ５）側からも防水シート２３を出してジョイントする。複雑な形状部では下地材に対し防水シート先端の役物形状防水テープを貼り付けることにより、防水をする。下地であれば接着する防水テープに制限は少ない。役物部は現地でカバーをつけ、防水性能を保持する。
【００４３】
また、複雑な形状の防水ラインに対して、防水ラインを簡易化し、シートを建物外壁側からと出窓側から出し、それぞれのシート先端部の粘着層同士を貼り合せることにより防水ラインを形成する。複雑に防水ラインが入り組む部分は出窓側から出すシートを形状にあわせ役物化し、下地に対して貼りつける。出窓屋根面は仕上材（笠木板金３２）をつけるため、防水耐久性能上も、意匠上も問題ない。
（変形例）
また、図１３に示したようにシート状防水役物３７の防水シート３８を上下に二分割して縦水切りシート３９と上部水切りシート４０とにし、この縦水切りシート３９と上部水切りシート４０とを接合シート４１で接合した構成としても良い。
【００４４】
この上部水切りシート４０は、逆Ｕ字状のシート部４０ａと、シート部４０ａの一側部に垂直に連設された壁取付シート部４０ｂと、この壁取付シート部４０ｂに垂直に且つ縦水切りシート３９と平行に連設された壁取付シート部４０ｃを有する。そして、縦水切りシート３９の幅ｂはシート部４０ａの他端から壁取付シート部４０ｃの端までの寸法ｃと同じに形成されている。
【００４５】
そして、防水シート３８の両側部には粘着層４２，４３が設けられ、壁取付シート部４０ｂのシート部４０ａとは反対側の面には粘着層４４が設けられ、シート部４０ａの壁取付シート部４０ｂ側の側部には粘着層４５が設けられている。
【００４６】
このシート状防水役物３７は、建物ユニット４６の出隅の防水に用いられる。例えば、付帯設備（図示せず）が建物ユニット４６の外壁４６ａの一面に設けられ、この付帯設備の袖壁の外側面が建物ユニットの外壁４６に垂直な外壁４６ｂの外面と面一に設けられている場合、付帯設備の袖壁の外面に粘着層４２を介して縦水切りシート３９の一側部が粘着固定され、外壁４６ｂに粘着層４３を介して縦水切りシート３９の他側部が粘着固定される。
【００４７】
また、外壁４６ａに壁取付シート部４０ｂが粘着層４５を介して粘着固定され、外壁４６ｂに粘着層４３を介して壁取付シート部４０ｃが粘着固定され、逆Ｕ字状のシート部４０ａは粘着層４２，４５を介して図示しない付帯設備の袖壁に取り付けられる。尚、搬送時には粘着層４２〜４５に図示しない剥離シートが貼り付けられる。
【００４８】
このようなシート状防水役物３７も取付方法は上述した実施例と実質的に同じであり、シート状防水役物３７を有する防水構造の作用も上述した実施例と実質的に同じであるので、その説明は省略する。
【００４９】
以上説明したように、この発明の実施の形態の建築物防水方法は、建築物外壁（外壁２ａ）の外面とこれに取り付けられる付帯設備（ボウウインドウ５）との間を防水する方法であって、前記付帯設備（ボウウインドウ５）と前記外面とに跨って前記付帯設備（ボウウインドウ５）と前記外面に沿う形状に形成された防水シート２３及び前記防水シート２３に設けられた粘着層（２４，２５）を有する防水役物（シート状防水役物２２）を用意して、前記付帯設備（ボウウインドウ５）を前記外面に取り付ける際に、前記防水シート２３を前記粘着層（２４，２５）で前記外面及び前記付帯設備（ボウウインドウ５）に粘着固定することにより、前記建築物外壁（外壁２ａ）の外面とこれに取り付けられる付帯設備（ボウウインドウ５）との間を防水した後、前記防水役物（シート状防水役物２２）をカバー（笠木板金３２）で覆う方法としている。
【００５０】
この建築物防水方法によれば、建築物外壁の外面とこれに取り付けられる付帯設備との間の防水を簡易に行うことができると共に、信頼性の高い防水を行うことができる。しかも、複雑な形状の防水ラインに対し、長期の信頼性の高い防水が可能になる。
【００５１】
また、この発明の実施の形態の建築物防水構造は、建築物外壁（外壁２ａ）の外面とこれに取り付けられる付帯設備（ボウウインドウ５）との間を防水役物（シート状防水役物２２）で防水する構造であって、前記防水役物（シート状防水役物２２）は、前記付帯設備（ボウウインドウ５）と前記外面とに跨る形状に形成された防水シート２３と、前記防水シート２３に設けられ且つ前記防水シート２３を前記外面に粘着固定している粘着層（２４，２５）を有すると共に、カバー（笠木板金３２）で覆われている。
【００５２】
この建築物防水構造によれば、建築物外壁の外面とこれに取り付けられる付帯設備との間の防水を簡易に行うことができると共に、信頼性の高い防水を行うことができる。しかも、複雑な形状の防水ラインに対し、長期の信頼性の高い防水が可能になる。
【００５３】
また、この発明の実施の形態の建築物防水方法及びその構造は、ユニット建物（全体図示しない）の建物ユニット４６の出隅と付帯設備との間の防水に用いられるシート状防水役物３７であっても良い。
【００５４】
更に、上述した実施例では、付帯設備としてボウウインドウ５等の出窓にシート状防水役物２２，３７等を用いるようにした例を示したが、必ずしもこれに限定されるものではない。例えば、シート状防水役物は、外壁が仕上られている建物において、外壁が仕上られているバルコニーユニット（付帯設備）の手摺壁当たり部の防水に用いることもできる。要は、建物とその付帯設備との間で防水構造が必要な場合には、シート状防水役物は上述した出窓やバルコニーユニット等の付帯設備に限らずに適用できる。
【図面の簡単な説明】
【００５５】
【図１】この発明に係る防水構造を備える建物の一部を示す概略斜視図である。
【図２】図１のボウウインドウの部分拡大斜視図である。
【図３】図１のＡ１−Ａ１線に沿う断面図である。
【図４】図３の要部拡大図である。
【図５】図２の袖壁本体と建築物外壁及び防水役物との関係を示す水平断面図である。
【図６】図２の袖壁本体と建築物外壁及び防水役物との関係を示す縦断面図である。
【図７】図２の袖壁本体と建築物外壁との関係を示す部分斜視図である。
【図８】図７の縦溝にシール材を配設した状態を示す斜視図である。
【図９】図８の袖壁本体と建築物外壁との間に防水役物を取り付けた状態を示す斜視図である。
【図１０】図９の袖壁本体と外装仕上パネル及び付庇との関係を示す分解斜視図である。
【図１１】図１０に示した外装仕上パネル及び付庇を袖壁本体に取り付けた状態を示す斜視図である。
【図１２】図３，図９に示した防水役物の拡大斜視図である。
【図１３】この発明の防水構造に用いる防水役物の他の例を示す斜視図である。
【符号の説明】
【００５６】
１…ユニット建物（建築物）
２…建物ユニット
２ａ…外壁（建築物外壁）
５…ボウウインドウ（付帯設備）
２２…シート状防水役物（防水役物）
２３…防水シート
２４，２５…粘着層
３２…笠木板金（カバー）
３７…シート状防水役物
【図１】
2007308983.tif 000003
【図２】
2007308983.tif 000004
【図３】
2007308983.tif 000005
【図４】
2007308983.tif 000006
【図５】
2007308983.tif 000007
【図６】
2007308983.tif 000008
【図７】
2007308983.tif 000009
【図８】
2007308983.tif 000010
【図９】
2007308983.tif 000011
【図１０】
2007308983.tif 000012
【図１１】
2007308983.tif 000013
【図１２】
2007308983.tif 000014
【図１３】
2007308983.tif 000015